(57)【要約】【課題】組立体を組み立てるときと、組立体と積み重ね体を積み重ねるときに、サッシ枠の突出部側のスペーサとして兼用可能な治具を提供する。【解決手段】ガイド連結部材７は、縦枠６の室外側部６Ｂに設けられた突出部である。作業台３２の作業部３３の上で、ガイド連結部材７を縦枠６の室外側部６Ｂと作業部３３の間に配置して作業部３３に当接させた状態で、少なくともサッシ枠３を含む組立体６０を組み立てるときに、治具５０は、作業部３３に載置されて横枠４、５を受ける。組立体６０と積み重ね体を積み重ねるときに、治具５０は、サッシ枠３と積み重ね体の間に配置されて、積み重ね体をガイド連結部材７から離隔した位置に保持する。【選択図】  図６
2020183641.tif 000002
【特許請求の範囲】
【請求項１】
突出部が室外側部に設けられた突出枠を有するサッシ枠用の治具であって、
作業台の作業部の上で、前記突出部を前記突出枠の室外側部と前記作業部の間に配置して前記作業部に当接させた状態で、少なくとも前記サッシ枠を含む組立体を組み立てるときに、前記作業部に載置されて、前記突出枠以外の枠を受けるとともに、
前記組立体と積み重ね体を積み重ねるときに、前記サッシ枠と前記積み重ね体の間に配置されて、前記積み重ね体を前記突出部から離隔した位置に保持するサッシ枠用の治具。
【請求項２】
請求項１に記載されたサッシ枠用の治具において、
前記組立体を組み立てるときに、前記作業部に載置される載置部と、
前記組立体を組み立てるときに、前記突出枠以外の枠を受ける受け部と、
前記組立体と前記積み重ね体を積み重ねるときに、前記サッシ枠と当接する当接部と、
前記組立体と前記積み重ね体を積み重ねるときに、前記積み重ね体を保持する保持部と、
を有するサッシ枠用の治具。
【請求項３】
請求項１又は２に記載されたサッシ枠用の治具において、
前記組立体と前記積み重ね体を積み重ねるときに、前記突出枠の前記突出部が設けられた箇所と前記積み重ね体の間に配置されて、前記突出部の先端部よりも前記積み重ね体側の位置まで突出するサッシ枠用の治具。
【請求項４】
請求項１ないし３のいずれかに記載されたサッシ枠用の治具において、
前記組立体と前記積み重ね体を積み重ねるときに、前記突出部に接触する第１接触部、及び、前記突出枠の室外側部に接触する第２接触部を有し、
前記第２接触部は、前記突出枠の室外側部における前記突出枠の見込み部が接続する部分に接触するサッシ枠用の治具。
【請求項５】
請求項１ないし４のいずれかに記載されたサッシ枠用の治具において、
組み立て前の前記複数の枠を結束する結束材に分離可能に組み込まれるサッシ枠用の治具。
【請求項６】
請求項１ないし５のいずれかに記載されたサッシ枠用の治具の使用方法であって、
前記組立体を組み立てるときに、前記治具を前記作業部に載置して、前記突出枠以外の枠を前記治具で受け、
前記組立体と前記積み重ね体を積み重ねるときに、前記治具を前記サッシ枠と前記積み重ね体の間に配置して、前記治具により、前記積み重ね体を前記突出部から離隔した位置に保持するサッシ枠用の治具の使用方法。
【発明の詳細な説明】
【技術分野】
【０００１】
本発明は、サッシ枠用の治具、及び、サッシ枠用の治具の使用方法に関する。
【背景技術】
【０００２】
建具のサッシ枠は、一般に、複数の枠を枠組みすることで形成されている。シャッターが設けられた建具では、シャッターのシャッターカーテンが、サッシ枠の室外側で、左右のシャッターガイドによりガイドされて昇降する。シャッターガイドは、ガイド連結部材に取り付けられて、ガイド連結部材により、一対の縦枠のそれぞれに連結されている。また、従来、ガイドレール下地枠（ガイド連結部材）を縦枠の室外側部に突出して設けて、ガイドレール（シャッターガイド）をガイドレール下地枠の室外側に取り付けたサッシ枠が知られている（特許文献１参照）。
【０００３】
特許文献１に記載されたサッシ枠において、ガイドレール下地枠は、縦枠の室外側部に突出して設けられた突出部であり、縦枠は、突出部を有する突出枠である。このように、突出枠を有するサッシ枠では、突出部を突出枠の室外側部に設けた状態で、サッシ枠を組み立てることがある。例えば、プレハブ工法により建物を組み立てるときには、少なくともサッシ枠を含む組立体を予め組み立て、組立体と他の部材（積み重ね体）を積み重ねて建物の施工現場に搬送する。建物の施工現場で、組立体と積み重ね体等を用いて、建物を組み立てる。
【０００４】
組立体を組み立てるときには、作業台の作業部に突出部を当接させた状態で、サッシ枠及び組立体を組み立てる。その際、突出枠以外の枠が作業部から上方に離隔することがある。この場合には、サッシ枠が安定せず、組立体の組み立て作業が行い難くなる。また、組立体と積み重ね体を積み重ねるときには、突出部が積み重ね体と接触して損傷する虞がある。これらの問題に対しては、治具をサッシ枠の突出部側のスペーサとして用いることが有効である。しかしながら、組み立て用の治具と積み重ね用の治具の２つの治具を用意する必要があり、治具の数が増えて、治具の管理に手間もかかる。
【先行技術文献】
【特許文献】
【０００５】
【特許文献１】特開２０１４−１８１４７９号公報
【発明の概要】
【発明が解決しようとする課題】
【０００６】
本発明は、前記従来の問題に鑑みなされたもので、その目的は、突出部が室外側部に設けられた突出枠を有するサッシ枠用の治具であって、少なくともサッシ枠を含む組立体を組み立てるときと、組立体と積み重ね体を積み重ねるときに、サッシ枠の突出部側のスペーサとして兼用可能な治具を提供することである。
【課題を解決するための手段】
【０００７】
本発明は、突出部が室外側部に設けられた突出枠を有するサッシ枠用の治具であって、作業台の作業部の上で、前記突出部を前記突出枠の室外側部と前記作業部の間に配置して前記作業部に当接させた状態で、少なくとも前記サッシ枠を含む組立体を組み立てるときに、前記作業部に載置されて、前記突出枠以外の枠を受けるとともに、前記組立体と積み重ね体を積み重ねるときに、前記サッシ枠と前記積み重ね体の間に配置されて、前記積み重ね体を前記突出部から離隔した位置に保持するサッシ枠用の治具である。
【発明の効果】
【０００８】
本発明によれば、突出部が室外側部に設けられた突出枠を有するサッシ枠用の治具であって、少なくともサッシ枠を含む組立体を組み立てるときと、組立体と積み重ね体を積み重ねるときに、サッシ枠の突出部側のスペーサとして兼用可能な治具を提供することができる。
【図面の簡単な説明】
【０００９】
【図１】本実施形態の窓の室外側に設置されるシャッターを示す正面図である。
【図２】本実施形態の窓の正面図である。
【図３】本実施形態のサッシ枠の縦断面図である。
【図４】本実施形態のサッシ枠の横断面図である。
【図５】本実施形態のサッシ枠の横枠と縦枠の結束に用いられる結束材を示す断面図である。
【図６】本実施形態の組立体を組み立てるときのサッシ枠と治具を示す断面図である。
【図７】本実施形態の組立体と積み重ね体を積み重ねた状態を示す断面図である。
【図８】他の実施形態のサッシ枠の縦枠を示す横断面図である。
【発明を実施するための形態】
【００１０】
本発明のサッシ枠用の治具、及び、サッシ枠用の治具の使用方法の一実施形態について、図面を参照して説明する。
本実施形態のサッシ枠用の治具（以下、単に、治具という）は、建具の枠体であるサッシ枠に用いられるスペーサ治具である。以下では、建具がスライド式の障子を備えた窓（サッシ窓）である場合を例にとり、本実施形態の治具、及び、治具の使用方法について説明する。治具は、サッシ枠の建物への設置前に、サッシ枠と組み合わされて使用されて、サッシ枠の組み立て及び搬送に用いられる。
【００１１】
図１は、本実施形態の窓の室外側に設置されるシャッター１０を示す正面図であり、室外側からみたシャッター１０を示している。
図示のように、シャッター１０は、窓の上側に設けられるシャッターケース１１と、窓の室外側で昇降可能なシャッターカーテン１２と、左右のシャッターガイド１３を備えている。シャッターカーテン１２は、シャッターケース１１内に収容されるとともに、上下方向に移動して開閉する。また、シャッターカーテン１２は、シャッターケース１１内に設けられた回転軸（図示せず）に取り付けられて、回転軸に巻き付けられる。
【００１２】
シャッターガイド１３は、シャッターカーテン１２の昇降時（開閉時）に、シャッターカーテン１２をガイドする。シャッターカーテン１２を閉めるときには、シャッターカーテン１２は、シャッターケース１１から下方に繰り出されて窓を覆う。シャッターカーテン１２を開けるときには、シャッターカーテン１２は、シャッターケース１１に向かって巻き上げられて、上方に移動し、シャッターケース１１内に収容される。
【００１３】
図２は、本実施形態の窓１の正面図であり、室外側からみた窓１を示している。また、図２では、シャッター１０を鎖線で示している。なお、窓１を正面からみたときに、上下となる方向が上下方向であり、左右となる方向が左右方向である。図２では、上下方向は垂直方向であり、左右方向は水平方向である。
図示のように、窓１は、建物の開口部に設置される引き違い窓であり、建物の室内と室外の間に配置される。また、窓１は、スライドにより移動する一対の障子２と、一対の障子２を囲むサッシ枠３を備えている。シャッター１０は、サッシ枠３に連結されて、建物の室外側に設置される。
【００１４】
一対の障子２は、方形状の可動障子であり、サッシ枠３の開口部３Ａで引き違いに移動する。障子２は、框体２０と、框体２０内に配置されたパネル体２１を有している。パネル体２１は、例えば、複数のガラス板を有する複層ガラスであり、框体２０に嵌め込まれている。障子２が左右方向に移動して、サッシ枠３の開口部３Ａが開閉される。
【００１５】
サッシ枠３は、建物の開口部に設置される開口枠（窓枠）であり、枠組みされた複数の枠４〜６（上下の横枠４、５、左右の縦枠６）と、左右のガイド連結部材７を有している。複数の枠４〜６は、サッシ枠３を構成する枠材である。また、一方の横枠４は、上枠であり、他方の横枠５は、下枠である。横枠４、５は、サッシ枠３の上部と下部で左右方向（横方向）に延び、縦枠６は、サッシ枠３の両側の側部で上下方向（縦方向）に延びる。一対の横枠４、５と一対の縦枠６が方形状に組み合わされて、枠４〜６の長手方向の端部同士が接続されている。４つの枠４〜６が組み立てられて、方形状のサッシ枠３が形成されている。
【００１６】
ガイド連結部材７は、縦枠６の室外側で縦枠６に連結された縦枠６のアタッチメントであり、シャッター１０のシャッターガイド１３は、ガイド連結部材７に連結されている。一対の縦枠６に対応して、一対のガイド連結部材７と一対のシャッターガイド１３が、建物においてサッシ枠３の室外側に配置されている。ガイド連結部材７とシャッターガイド１３は、縦枠６の長手方向に沿って延び、縦枠６の上端部から下端部まで配置されている。
【００１７】
図３は、本実施形態のサッシ枠３の縦断面図であり、図４は、本実施形態のサッシ枠３の横断面図である。図３、図４では、建物に設置したサッシ枠３を示しており、図４では、シャッター１０のシャッターガイド１３を鎖線で示している。
図示のように、サッシ枠３において、枠４〜６のそれぞれの見付け方向Ｔ４〜Ｔ６は、サッシ枠３を正面からみたときの各枠４〜６の幅方向であり、枠４〜６のそれぞれの見込み方向Ｋ４〜Ｋ６は、サッシ枠３を正面からみたときの各枠４〜６の奥行方向である。サッシ枠３を建物に設置した状態で、枠４〜６の見込み方向Ｋ４〜Ｋ６は、室内外方向である。また、見込み方向Ｋ４〜Ｋ６の一方側は、室外側であり、見込み方向Ｋ４〜Ｋ６の他方側は、室内側である。このように、サッシ枠３に関して室内側、室外側とは、建物に設置したときのサッシ枠３の室内側、室外側である。
【００１８】
サッシ枠３の枠４〜６は、固定部材であるネジ３０により、建物の壁パネル３１に固定されている。壁パネル３１は、建物において外壁となる壁部材であり、サッシ枠３の外周側に配置されて、サッシ枠３を囲む。横枠４、５（図３参照）は、それぞれ、見込み部４Ａ、５Ａと、見込み部４Ａ、５Ａの室外側に位置する室外側部４Ｂ、５Ｂと、突片である固定部４Ｃ、５Ｃを有している。見込み部４Ａ、５Ａは、サッシ枠３の内周部を構成する横枠４、５の内周部であり、横枠４、５の見込み方向Ｋ４、Ｋ５に沿って形成されている。室外側部４Ｂ、５Ｂは、横枠４、５の室外側に位置する部分であり、見込み部４Ａ、５Ａの室外側に連続して形成されている。固定部４Ｃ、５Ｃは、横枠４、５の外周部に突出して形成され、壁パネル３１の室外側で壁パネル３１に接触して、ネジ３０により、壁パネル３１に固定されている。
【００１９】
建物において、横枠４、５の室外側部４Ｂ、５Ｂは、壁パネル３１よりも室外側に配置されている。横枠４（上枠）の室外側部４Ｂは、横枠４の室外側の見付け部であり、板状に形成されて、固定部４Ｃよりもサッシ枠３の開口部３Ａ側（下側）に位置している。横枠５（下枠）の室外側部５Ｂは、横枠５の室外側の見付け部であり、段部を有する板状に形成されて、固定部５Ｃよりもサッシ枠３の開口部３Ａ側（上側）に位置している。また、室外側部５Ｂは、下端部から室外側に向かって突出する突起５Ｄを有している。
【００２０】
縦枠６（図４参照）は、見込み部６Ａと、見込み部６Ａの室外側に位置する室外側部６Ｂと、突片である固定部６Ｃと、室外側の中空部６Ｄを有している。見込み部６Ａは、サッシ枠３の内周部を構成する縦枠６の内周部であり、縦枠６の見込み方向Ｋ６に沿って形成されている。室外側部６Ｂは、縦枠６の室外側に位置する部分であり、見込み部６Ａの室外側に連続して形成されている。固定部６Ｃは、縦枠６の外周部に突出して形成され、壁パネル３１の室外側で壁パネル３１に接触して、ネジ３０により、壁パネル３１に固定されている。中空部６Ｄは、見込み部６Ａからサッシ枠３の開口部３Ａの反対側に向かって突出し、縦枠６の見付け方向Ｔ６に沿って形成されている。
【００２１】
縦枠６の室外側部６Ｂは、縦枠６の室外側の見付け部であり、板状に形成されて、固定部６Ｃよりもサッシ枠３の開口部３Ａ側に位置している。また、室外側部６Ｂは、見込み部６Ａと接続する接続部６Ｅを有している。接続部６Ｅは、縦枠６の室外側部６Ｂにおける見込み部６Ａが接続する部分であり、縦枠６の見付け方向Ｔ６において室外側部６Ｂの両端部の間に位置している。見込み部６Ａの室外側の端部は、室外側部６Ｂの接続部６Ｅに接続しており、室外側部６Ｂは、接続部６Ｅ（見込み部６Ａの室外側の端部）から縦枠６の見付け方向Ｔ６の両側に向かって形成されている。
【００２２】
中空部６Ｄの室外側の壁部は、縦枠６の室外側部６Ｂであり、縦枠６の見付け方向Ｔ６に沿って形成されている。建物において、縦枠６の室外側部６Ｂ及び中空部６Ｄは、壁パネル３１よりも室外側に配置され、中空部６Ｄの室内側（壁パネル３１側）の壁部は、壁パネル３１に接触する。室外側部６Ｂと壁パネル３１の間には、中空部６Ｄ内の空間が位置しており、室外側部６Ｂが壁パネル３１から室外側に離隔した位置に配置される。
【００２３】
シャッターガイド１３とガイド連結部材７は、縦枠６の室外側部６Ｂよりも室外側に配置されて、室外側部６Ｂに連結されている。シャッターガイド１３は、溝状に形成されたガイドレールであり、シャッターカーテン１２の側部を縦枠６の長手方向にガイドする。ガイド連結部材７は、シャッターガイド１３の下地となるガイド下地材であり、縦枠６の室外側部６Ｂに突出して設けられている。シャッターガイド１３は、ガイド連結部材７に取り付けられて、ガイド連結部材７により、室外側部６Ｂに連結されている。
【００２４】
ガイド連結部材７は、縦枠６の室外側部６Ｂに設けられた縦枠６の室外側の突出部であり、縦枠６は、突出部であるガイド連結部材７を有する突出枠（突出枠材）である。縦枠６のガイド連結部材７は、サッシ枠３の縦枠６以外の枠の室外側部（ここでは、横枠４、５の室外側部４Ｂ、５Ｂ）よりも室外側に突出している。このように、サッシ枠３は、枠組みされた複数の枠４〜６のなかに、ガイド連結部材７が室外側部６Ｂに突出して設けられた突出枠である縦枠６と、ガイド連結部材７が室外側部４Ｂ、５Ｂに設けられていない非突出枠である横枠４、５を有している。
【００２５】
ガイド連結部材７は、ネジ１４により縦枠６の室外側部６Ｂに装着される板状の装着部７Ａと、装着部７Ａから室外側に突出する２つの突片７Ｂ、７Ｃ（第１突片７Ｂ、第２突片７Ｃ）を有している。第１突片７Ｂと第２突片７Ｃは、縦枠６の見付け方向Ｔ６に間隔を開けて形成されており、第２突片７Ｃは、第１突片７Ｂに対してサッシ枠３の開口部３Ａ側に位置している。第１突片７Ｂの突出寸法は、第２突片７Ｃの突出寸法よりも大きい。そのため、第１突片７Ｂの先端部は、ガイド連結部材７の突出方向の先端に位置するガイド連結部材７の先端部７Ｄである。
【００２６】
シャッターガイド１３は、ガイド連結部材７の突片７Ｂ、７Ｃに取り付けられている。ネジ１４は、室外側からガイド連結部材７の装着部７Ａを貫通して、縦枠６の室外側部６Ｂに取り付けられている。装着部７Ａ及びガイド連結部材７は、取付部材であるネジ１４により、縦枠６の室外側部６Ｂに取り付けられている。ガイド連結部材７は、縦枠６の室外側部６Ｂから室外側に向かって突出する。
【００２７】
ここでは、窓１及びサッシ枠３は、プレハブ工法で組み立てられる建物に設置される。また、サッシ枠３の組み立て前に、サッシ枠３の枠４〜６は、結束材により結束された状態で、保管又は搬送される。建物の組み立て前に、少なくともサッシ枠３を含む組立体を組み立て、組立体と他の部材（積み重ね体）を積み重ねて建物の施工現場に搬送する。組立体を組み立てるときと、組立体と積み重ね体を積み重ねるときには、同じ治具を、サッシ枠３のガイド連結部材７側のスペーサとして兼用する。建物の施工現場では、組立体と積み重ね体等を用いて、建物を組み立て、シャッターガイド１３をサッシ枠３のガイド連結部材７に連結する。
【００２８】
図５は、本実施形態のサッシ枠３の横枠４、５と縦枠６の結束に用いられる結束材４０を示す断面図であり、枠４〜６の長手方向に直交する断面を示している。図５Ａは、枠４〜６を結束する結束材４０を示し、図５Ｂは、枠４〜６を取り外した後の結束材４０を示している。
図示のように、結束材４０は、上下の横枠４、５を拘束する２つの横枠用の拘束部４１と、左右の縦枠６を拘束する２つの縦枠用の拘束部４２と、結束材４０を開くための２つの切込み４３を有している。横枠用の拘束部４１（図５Ａ参照）は、横枠４、５を囲む結束材４０の内側拘束部であり、縦枠用の拘束部４２は、縦枠６が装着される結束材４０の外側拘束部である。
【００２９】
結束材４０は、拘束部４１、４２にサッシ枠３の枠４〜６を拘束して、組み立て前のサッシ枠３の複数の枠４〜６を結束する。また、枠４〜６の長手方向の複数箇所に結束材４０を設けて、複数の結束材４０により、枠４〜６を結束する。サッシ枠３及び組立体を組み立てるときには、縦枠６を結束材４０の拘束部４２から取り外した後に、結束材４０を切込み４３の部分で外側に向かって折り曲げる（図５Ｂ参照）。これにより、結束材４０を変形させて開き、横枠４、５を結束材４０から取り外す。
【００３０】
結束材４０は、スペーサ用の治具５０となる部分（治具部４４）を有している。治具５０は、結束材４０の一部であり、結束材４０に分離可能に組み込まれている。例えば、治具５０の外面形状に対応する切込みを結束材４０に形成することで、治具部４４を結束材４０に形成する。或いは、結束材４０に嵌合部４５を形成し、治具５０を嵌合部４５に嵌合して結束材４０に取り付ける。結束材４０を横枠４、５と縦枠６から外した後に、複数の結束材４０のそれぞれから治具５０を分離する。ここでは、枠４〜６を少なくとも２つの結束材４０により結束し、少なくとも２つの治具５０を結束材４０から分離する。治具５０は、組立体の組み立て、及び、組立体と積み重ね体の積み重ねに用いられる。
【００３１】
図６は、本実施形態の組立体６０を組み立てるときのサッシ枠３と治具５０を示す断面図であり、組み立ての途中段階の組立体６０を示している。図６では、図３に対応するサッシ枠３の縦断面を示すとともに、図４に対応する一方の縦枠６とガイド連結部材７の横断面を模式的に追加して鎖線で示している。
図示のように、ガイド連結部材７を縦枠６の室外側部６Ｂに設けた状態で、サッシ枠３及び組立体６０を作業台３２の上で組み立てる。作業台３２は、組立体６０の組み立て作業を行う作業場所であり、上面側に位置する作業部３３を有している。作業部３３は、作業台３２の平面状の上面部であり、水平方向に沿って配置されている。作業部３３の上で、サッシ枠３及び組立体６０を横に寝かせた状態（作業部３３に沿って配置した状態）で組み立てる。
【００３２】
サッシ枠３の組み立て前に、ガイド連結部材７を縦枠６の室外側部６Ｂに取り付ける。作業台３２の作業部３３において、左右の縦枠６及び上下の横枠４、５を横に寝かせた状態で方形状に配置して枠組みし、サッシ枠３を組み立てる。その際、縦枠６の室外側部６Ｂと横枠４、５の室外側部４Ｂ、５Ｂを下側（作業部３３側）に向けて配置して作業部３３と対向させる。左右の縦枠６のそれぞれで、ガイド連結部材７は、縦枠６の室外側部６Ｂから作業部３３に向かって突出して、縦枠６の室外側部６Ｂと作業部３３の間に配置される。また、ガイド連結部材７の先端部７Ｄが作業部３３に当接する。ガイド連結部材７は、縦枠６の室外側部６Ｂと作業部３３の間に挟まれて、縦枠６を作業部３３に沿う状態（水平方向に沿って延びる状態）で支持する。ガイド連結部材７により、縦枠６は、作業部３３から上方に離隔した位置に配置される。
【００３３】
治具５０は、横枠４、５（ここでは、横枠４、５の室外側部４Ｂ、５Ｂ及び固定部４Ｃ、５Ｃ）と作業部３３の間に配置されるブロック状のスペーサであり、横枠４、５を縦枠６と枠組み可能な位置に配置する。上下の横枠４、５のそれぞれで、治具５０は、横枠４、５の長手方向の少なくとも１箇所（１箇所又は複数箇所）に配置されて、横枠４、５と作業部３３に当接する。治具５０は、横枠４、５と作業部３３の間に挟まれて、横枠４、５を作業部３３に沿う状態で支持する。横枠４、５は、それぞれ治具５０に載置されて、治具５０により、作業部３３から上方に離隔した位置に配置される。ガイド連結部材７と治具５０により、サッシ枠３は、全周にわたって、作業部３３に沿って配置されて、作業部３３と対向する。
【００３４】
治具５０は、相対する部分に形成された載置部５１と受け部５２を有している。組立体６０を組み立てるときに、載置部５１は、作業部３３に載置され、受け部５２は、縦枠６以外の枠（ここでは、横枠４、５）を受ける。載置部５１は、治具５０の作業部３３側の平面状に形成された部分であり、作業部３３に当接する。受け部５２は、治具５０の横枠４、５側の凹凸形状に形成された部分であり、横枠４、５は、受け部５２に載置される。受け部５２が横枠４、５に当接する状態で、載置部５１とガイド連結部材７の先端部７Ｄが同一平面に当接するように、載置部５１は、ガイド連結部材７の先端部７Ｄと位置を合わせて形成されている。
【００３５】
治具５０の受け部５２は、上側に突出する凸部５３と、下側に窪む凹部５４を有している。横枠５（下枠）では、室外側部５Ｂの突起５Ｄは、凹部５４内に配置される。治具５０の受け部５２は、横枠４、５の室外側部４Ｂ、５Ｂを受けるとともに、凸部５３により、横枠４、５の固定部４Ｃ、５Ｃを受ける。上下の横枠４、５は、少なくとも室外側部４Ｂ、５Ｂ（ここでは、室外側部４Ｂ、５Ｂと固定部４Ｃ、５Ｃ）において、同じ形状の治具５０の受け部５２に載置されて、受け部５２で受けられる。
【００３６】
作業台３２の作業部３３の上で、ガイド連結部材７を縦枠６の室外側部６Ｂと作業部３３の間に配置して作業部３３に当接させた状態で、組立体６０を組み立てるときに、治具５０は、作業部３３に載置されて、作業部３３と対向する横枠４、５を受ける。ガイド連結部材７と治具５０により、サッシ枠３は、作業部３３から上方に離隔した位置に配置され、作業部３３に沿って配置された状態で、ガタツキなく支持される。その状態で、サッシ枠３を組み立てるとともに、組立体６０を組み立てる。サッシ枠３に周辺部材（図示せず）が組み付けられて、組立体６０が組み立てられる。周辺部材は、サッシ枠３の周辺に設けられる部材（ここでは、壁パネル３１）（図３、図４参照）であり、サッシ枠３を囲んで組み付けられる。組立体６０の組み立て後に、組立体６０と積み重ね体が積み重ねられる。
【００３７】
図７は、本実施形態の組立体６０と積み重ね体６１を積み重ねた状態を示す断面図であり、図４に対応するサッシ枠３の横断面を示している。
図示のように、積み重ね体６１は、組立体６０の上側又は下側に積み重ねられる部材（例えば、他の組立体６０、サッシ枠３を設けていない壁パネル３４）である。ここでは、２つの組立体６０を上下方向に積み重ね、上側の組立体６０の上側に壁パネル３４を積み重ねている。２つの組立体６０では、上側の組立体６０は、下側の組立体６０の上側に積み重ねられる積み重ね体６１である。上側の組立体６０と壁パネル３４では、壁パネル３４は、組立体６０の上側に積み重ねられる積み重ね体６１である。
【００３８】
治具５０と上側の組立体６０の間、及び、治具５０と壁パネル３４の間には、緩衝材６２が挟まれている。緩衝材６２は、例えば、木製の横木であり、組立体６０と壁パネル３４の損傷を防止する。ここでは、緩衝材６２は、積み重ね体６１の一部を構成しており、組立体６０又は壁パネル３４とともに組立体６０に積み重ねられる。これに対し、治具５０と上側の組立体６０の間、及び、治具５０と壁パネル３４の間には、緩衝材６２を挟まないようにしてもよい。
【００３９】
組立体６０及び積み重ね体６１を横に寝かせた状態（水平方向に沿う状態）で、組立体６０の組み立てに使用した治具５０を使用して、組立体６０と積み重ね体６１を上下に積み重ねる。その際、縦枠６の室外側部６Ｂと横枠４、５の室外側部４Ｂ、５Ｂを積み重ね体６１側（ここでは、上側）に向けて配置する。左右の縦枠６のそれぞれで、ガイド連結部材７は、組立体６０の上側に位置し、縦枠６の室外側部６Ｂから上側に突出する。その状態で、組立体６０の上側（ガイド連結部材７側）に積み重ね体６１を積み重ねる。
【００４０】
組立体６０と積み重ね体６１を積み重ねるときに、治具５０は、サッシ枠３のガイド連結部材７側（上側）で、ガイド連結部材７を含むサッシ枠３と積み重ね体６１の間に配置される。ガイド連結部材７と治具５０は、縦枠６の室外側部６Ｂから積み重ね体６１に向かって突出する。ここでは、治具５０は、縦枠６のガイド連結部材７が設けられた箇所と積み重ね体６１の間に配置されて、ガイド連結部材７の積み重ね体６１側の先端部７Ｄよりも積み重ね体６１側（上側）の位置まで突出して積み重ね体６１に当接する。治具５０は、組立体６０と積み重ね体６１を上下方向に離隔させるスペーサであり、積み重ね体６１を組立体６０から上下方向に離隔した位置（組立体６０に接触しない位置）に保持する。
【００４１】
左右の縦枠６のそれぞれで、治具５０は、サッシ枠３と積み重ね体６１の間に挟まれて、サッシ枠３と積み重ね体６１に当接する。治具５０は、ガイド連結部材７よりも上側で積み重ね体６１に当接して、ガイド連結部材７と積み重ね体６１の間に間隙を形成する。これにより、治具５０は、積み重ね体６１をサッシ枠３のガイド連結部材７から上下方向に離隔した位置（ガイド連結部材７に接触しない位置）に保持する。ガイド連結部材７及び組立体６０は、治具５０により、積み重ね体６１から保護される。その状態で、互いに積み重ねられた組立体６０と積み重ね体６１を搬送する。
【００４２】
治具５０は、相対する部分に形成された当接部５５と保持部５６を有している。組立体６０と積み重ね体６１を積み重ねるときに、当接部５５は、サッシ枠３と当接し、保持部５６は、積み重ね体６１を保持する。当接部５５は、治具５０のサッシ枠３側の凹凸形状に形成された部分であり、サッシ枠３に載置される。保持部５６は、治具５０の積み重ね体６１側の平面状に形成された部分である。積み重ね体６１が保持部５６に載置されて、保持部５６が積み重ね体６１と当接する。
【００４３】
治具５０の当接部５５がサッシ枠３に当接する状態で、治具５０の保持部５６は、ガイド連結部材７の先端部７Ｄよりも積み重ね体６１側（上側）の位置に配置されて積み重ね体６１と当接する。治具５０の当接部５５、保持部５６、載置部５１、受け部５２は、治具５０の互いに異なる箇所に設けられている。組立体６０（図６参照）を組み立てるときと、組立体６０（図７参照）と積み重ね体６１を積み重ねるときとで、治具５０のサッシ枠３側となる部分（サッシ枠３と当接する部分）を変更して、治具５０のスペーサとしての機能を変更する。
【００４４】
治具５０は、当接部５５に形成された２つの接触部５７、５８（第１接触部５７、第２接触部５８）と、２つの接触部５７、５８の間に形成された凹状の収容部５９を有している。治具５０の当接部５５は、接触部５７、５８で、ガイド連結部材７を含むサッシ枠３に当接する。第１接触部５７は、ガイド連結部材７に接触して、ガイド連結部材７に支持される。第２接触部５８は、縦枠６の室外側部６Ｂに接触して、縦枠６の室外側部６Ｂに支持される。治具５０が受ける荷重は、当接部５５の第１接触部５７により、ガイド連結部材７に加えられるとともに、当接部５５の第２接触部５８により、縦枠６の室外側部６Ｂに加えられる。
【００４５】
当接部５５の第１接触部５７は、ガイド連結部材７の第１突片７Ｂと第２突片７Ｃの間に配置されて、ガイド連結部材７の装着部７Ａに接触する。当接部５５の第２接触部５８は、縦枠６の見込み部６Ａが接続する室外側部６Ｂの接続部６Ｅに接触して、接続部６Ｅにおいて支持される。収容部５９は、ガイド連結部材７の第２突片７Ｃを収容しており、第２突片７Ｃは、第１接触部５７と第２接触部５８の間に配置される。治具５０は、ガイド連結部材７の第２突片７Ｃを跨いで、ガイド連結部材７の装着部７Ａから縦枠６の室外側部６Ｂまで配置されており、第２突片７Ｃの両側に位置する。
【００４６】
以上説明したように、治具５０は、組立体６０を組み立てるときと、組立体６０と積み重ね体６１を積み重ねるときの両方に、スペーサとして兼用可能である。そのため、予め準備する治具５０の数を削減でき、治具５０の管理を容易にすることができる。組立体６０を組み立てるときには、治具５０により、サッシ枠３を安定させて、組立体６０の組み立て作業を容易に行うことができる。組立体６０と積み重ね体６１を積み重ねるときには、治具５０により、ガイド連結部材７と積み重ね体６１の接触を防止して、ガイド連結部材７の損傷を抑制することができる。
【００４７】
載置部５１、受け部５２、当接部５５、及び、保持部５６を有する治具５０を用いることで、組立体６０を組み立てるときと、組立体６０と積み重ね体６１を積み重ねるときのそれぞれに対応して、治具５０を適切に配置することができる。治具５０は、縦枠６のガイド連結部材７が設けられた箇所で、ガイド連結部材７の先端部７Ｄよりも積み重ね体６１側の位置まで突出する。そのため、ガイド連結部材７の周辺で、治具５０により、ガイド連結部材７を確実に保護することができる。治具５０を結束材４０に分離可能に組み込むことで、結束材４０を有効に活用することができ、治具５０を横枠４、５及び縦枠６とともに運搬又は保管することもできる。
【００４８】
治具５０の２つの接触部５７、５８により、治具５０からサッシ枠３に作用する荷重をガイド連結部材７と縦枠６の室外側部６Ｂに分散することができる。これにより、治具５０から作用する荷重に起因して、縦枠６が変形又は損傷するのを抑制することができる。第２接触部５８が縦枠６の室外側部６Ｂの接続部６Ｅに接触しており、接続部６Ｅに接続する縦枠６の見込み部６Ａにより、第２接触部５８及び治具５０を安定して支持することができる。また、第２接触部５８から縦枠６の室外側部６Ｂに作用する荷重を縦枠６の見込み部６Ａで受けることで、縦枠６の変形をより抑制することができる。
【００４９】
図８は、他の実施形態のサッシ枠３の縦枠６を示す横断面図であり、図４と同様に、縦枠６とシャッター１０のシャッターガイド１３を示している。
図示のように、ここでは、縦枠６は、ガイド連結部材７に替えて、シャッターガイド１３が連結されるガイド連結部７Ｅを有している。ガイド連結部７Ｅは、縦枠６に形成されたガイド連結部材７に相当する部分であり、ガイド連結部材７と同様の機能を有している。また、ガイド連結部７Ｅは、縦枠６の室外側部６Ｂから室外側に突出する２つの突片７Ｂ、７Ｃを有しており、縦枠６の室外側部６Ｂと一体に形成されている。シャッターガイド１３は、ガイド連結部７Ｅの突片７Ｂ、７Ｃに取り付けられている。
【００５０】
縦枠６のガイド連結部７Ｅは、縦枠６の室外側部６Ｂに突出して設けられた縦枠６の室外側の突出部であり、横枠４、５の室外側部４Ｂ、５Ｂよりも室外側に突出している。組立体６０と積み重ね体６１を積み重ねるときには（図７参照）、治具５０の第１接触部５７は、縦枠６の室外側部６Ｂに接触して、縦枠６の室外側部６Ｂに支持される。また、治具５０の当接部５５は、縦枠６の室外側部６Ｂのみに接触する。
【００５１】
このように、縦枠６の突出部は、縦枠６に連結される突出部材であってもよく、縦枠６と一体に形成された縦枠６の突出部分であってもよい。また、縦枠６の突出部は、ガイド連結部材７以外のアタッチメントであってもよく、アタッチメント以外の突出部であってもよい。以上の各実施形態では、一対の縦枠６の室外側部６Ｂに突出部を設ける例について説明したが、突出部が設けられる突出枠は、いずれか一方の縦枠６であってもよく、サッシ枠３の縦枠６以外の枠（例えば、横枠４、５の両方、又は、いずれか一方）であってもよい。
【００５２】
なお、組立体６０は、サッシ枠３と壁パネル３１以外の部材を有していてもよく、サッシ枠３のみを有していてもよい。壁パネル３４と組立体６０以外の積み重ね体６１を、治具５０を用いて、組立体６０に積み重ねるようにしてもよい。サッシ枠は、引き違い窓以外の窓（例えば、片引き窓、上げ下げ窓、固定窓）のサッシ枠であってもよい。本発明の治具は、突出枠の室外側部に突出して設けられた突出部を有する種々のサッシ枠に用いることができる。また、本発明は、互いに組み合わされるサッシ枠及びサッシ枠用の治具として実施することもできる。
【００５３】
以上のとおり、治具は、突出部が室外側部に設けられた突出枠を有するサッシ枠用の治具であって、
作業台の作業部の上で、前記突出部を前記突出枠の室外側部と前記作業部の間に配置して前記作業部に当接させた状態で、少なくとも前記サッシ枠を含む組立体を組み立てるときに、前記作業部に載置されて、前記突出枠以外の枠を受けるとともに、
前記組立体と積み重ね体を積み重ねるときに、前記サッシ枠と前記積み重ね体の間に配置されて、前記積み重ね体を前記突出部から離隔した位置に保持するサッシ枠用の治具である。
従って、突出部が室外側部に設けられた突出枠を有するサッシ枠用の治具であって、少なくともサッシ枠を含む組立体を組み立てるときと、組立体と積み重ね体を積み重ねるときに、サッシ枠の突出部側のスペーサとして兼用可能な治具を提供することができる。
【００５４】
サッシ枠用の治具は、前記組立体を組み立てるときに、前記作業部に載置される載置部と、前記組立体を組み立てるときに、前記突出枠以外の枠を受ける受け部と、前記組立体と前記積み重ね体を積み重ねるときに、前記サッシ枠と当接する当接部と、前記組立体と前記積み重ね体を積み重ねるときに、前記積み重ね体を保持する保持部と、を有する。
組立体を組み立てるときと、組立体と積み重ね体を積み重ねるときのそれぞれに対応して、治具を適切に配置することができる。
【００５５】
サッシ枠用の治具は、前記組立体と前記積み重ね体を積み重ねるときに、前記突出枠の前記突出部が設けられた箇所と前記積み重ね体の間に配置されて、前記突出部の先端部よりも前記積み重ね体側の位置まで突出する。
組立体と積み重ね体を積み重ねたときに、突出部の周辺で、治具により、突出部を確実に保護することができる。
【００５６】
サッシ枠用の治具は、前記組立体と前記積み重ね体を積み重ねるときに、前記突出部に接触する第１接触部、及び、前記突出枠の室外側部に接触する第２接触部を有し、
前記第２接触部は、前記突出枠の室外側部における前記突出枠の見込み部が接続する部分に接触する。
第１接触部と第２接触部により、治具からサッシ枠に作用する荷重を突出部と突出枠の室外側部に分散でき、治具から作用する荷重に起因して、突出枠が変形又は損傷するのを抑制することができる。
突出枠の見込み部により、第２接触部及び治具を安定して支持することができる。また、第２接触部から突出枠の室外側部に作用する荷重を突出枠の見込み部で受けることで、突出枠の変形をより抑制することができる。
【００５７】
サッシ枠用の治具は、組み立て前の前記複数の枠を結束する結束材に分離可能に組み込まれる。
結束材を有効に活用することができ、治具をサッシ枠の複数の枠とともに運搬又は保管することもできる。
【００５８】
サッシ枠用の治具の使用方法では、
前記組立体を組み立てるときに、前記治具を前記作業部に載置して、前記突出枠以外の枠を前記治具で受け、
前記組立体と前記積み重ね体を積み重ねるときに、前記治具を前記サッシ枠と前記積み重ね体の間に配置して、前記治具により、前記積み重ね体を前記突出部から離隔した位置に保持する。
従って、組立体を組み立てるときと、組立体と積み重ね体を積み重ねるときに、サッシ枠用の治具をサッシ枠の突出部側のスペーサとして兼用することができる。
【符号の説明】
【００５９】
１・・・窓、２・・・障子、３・・・サッシ枠、３Ａ・・・開口部、４・・・横枠、４Ａ・・・見込み部、４Ｂ・・・室外側部、４Ｃ・・・固定部、５・・・横枠、５Ａ・・・見込み部、５Ｂ・・・室外側部、５Ｃ・・・固定部、５Ｄ・・・突起、６・・・縦枠、６Ａ・・・見込み部、６Ｂ・・・室外側部、６Ｃ・・・固定部、６Ｄ・・・中空部、６Ｅ・・・接続部、７・・・ガイド連結部材、７Ａ・・・装着部、７Ｂ・・・第１突片、７Ｃ・・・第２突片、７Ｄ・・・先端部、７Ｅ・・・ガイド連結部、１０・・・シャッター、１１・・・シャッターケース、１２・・・シャッターカーテン、１３・・・シャッターガイド、１４・・・ネジ、２０・・・框体、２１・・・パネル体、３０・・・ネジ、３１・・・壁パネル、３２・・・作業台、３３・・・作業部、３４・・・壁パネル、４０・・・結束材、４１・・・拘束部、４２・・・拘束部、４３・・・切込み、４４・・・治具部、４５・・・嵌合部、５０・・・治具、５１・・・載置部、５２・・・受け部、５３・・・凸部、５４・・・凹部、５５・・・当接部、５６・・・保持部、５７・・・第１接触部、５８・・・第２接触部、５９・・・収容部、６０・・・組立体、６１・・・積み重ね体、６２・・・緩衝材、Ｋ４〜Ｋ６・・・見込み方向、Ｔ４〜Ｔ６・・・見付け方向。
【図１】
2020183641.tif 000003
【図２】
2020183641.tif 000004
【図３】
2020183641.tif 000005
【図４】
2020183641.tif 000006
【図５】
2020183641.tif 000007
【図６】
2020183641.tif 000008
【図７】
2020183641.tif 000009
【図８】
2020183641.tif 000010